(57)【要約】【課題】印刷品質の劣化がない電子写真式印刷装置を提供する。【解決手段】直流電圧を使用する転写部材、回転可能な清掃部材を使用する電子写真式印刷装置において転写部材と清掃部材の間に光除電部材、直流印加部材、交流除電部材、光除電部材を配置したことを特徴とする。【選択図】  図１
2010164789.tif 000002
【特許請求の範囲】
【請求項１】
直流電圧を使用する転写部材、回転可能な清掃部材を使用する電子写真式印刷装置において転写部材と清掃部材の間に光除電部材、直流印加部材、交流除電部材、光除電部材を配置したことを特徴とする電子写真式印刷装置。
【請求項２】
請求項１に記載の電子写真式印刷装置において、前記直流印加部材は転写部材に印加する電圧と同極性の直流電圧を印加することを特徴とする電子写真式印刷装置。
【請求項３】
請求項２に記載の電子写真式印刷装置において、前記直流印加部材に印加する電流は０．１ｍＡ／インチ以下であることを特徴とする電子写真式印刷装置。
【請求項４】
請求項１に記載の電子写真式印刷装置において、前記交流除電部材には転写部材とは異極性の直流電圧を重畳したことを特徴とする電子写真式印刷装置。
【請求項５】
請求項４に記載の電子写真式印刷装置において、前記交流除電部材に印加する転写部材とは異極性の直流電圧の出力は０．１ｍＡ／インチ以下とすることを特徴とする電子写真式印刷装置。
【請求項６】
請求項１に記載の電子写真式印刷装置において、前記光除電部材は複数個のＬＥＤを有することを特徴とする電子写真式印刷装置。
【請求項７】
請求項１に記載の電子写真式印刷装置において、前記清掃部材には５０％以下の導電糸を含むものを使用することを特徴とする電子写真式印刷装置。
【発明の詳細な説明】
【技術分野】
【０００１】
本発明は、トナーを用いるプリンタなどの電子写真式印刷装置に関するものである。
【背景技術】
【０００２】
転写器を通過後の電子写真式印刷装置の感光体除電プロセスにおいて例えばＡＣを使用する除電部材と例えば複数のＬＥＤからなる光源を使用する光除電部材を通過することにより感光体ドラム上に残留しているトナーと感光体ドラムを除電した後、残留トナーを例えば回転可能なポリアミド樹脂１００％からなるブラシ部材を内部に有する清掃装置を使い感光体ドラムから除去した後、再度帯電させ繰り返し使用する構成であった（特許文献１）。
【０００３】
図２に従来技術の感光体ドラム２１周囲の概略図を示す。図２において負帯電トナーと負帯電感光体ドラム２１を使用し、正の電流を流す転写器１０通過後の感光体ドラム２１上の電位は光源４から画像データに応じて照射された書き込み光に起因する部位が正および未照射部が負となるため、除電装置３０と光除電部材３１を使い感光体ドラム２１上にできた電位差を小さくする作用を有している。
【０００４】
この構成で例えば６０インチ／秒の高速で長時間印刷を行うと感光体ドラム２１に付着した残留トナーの電荷は負のままで、光源４から出る書き込み光照射部の露光部電位が転写器１０により正になっているため電気的に引き付けあい清掃ができなくなることまた純度繊維１００％からなるブラシ部材３２では電荷が逃げにくく感光体ドラム２１から除去したトナーが外れにくい不具合があり、その結果トナーが感光体ドラム２１上に固着するフィルミングが発生し、その結果かぶり、印刷濃淡むらなどを発生する不具合があった。
【先行技術文献】
【特許文献】
【０００５】
【特許文献１】特開２００５−０７７６５４号公報
【発明の概要】
【発明が解決しようとする課題】
【０００６】
本電子写真式印刷装置を例えば６０インチ／秒の高速で使用して長時間印刷を行うと感光体ドラム２１に付着した残留トナーの電荷は負のままで、光源４から出る書き込み光照射部の露光部電位が転写器１０により正になっているため電気的に引き付けあい清掃ができなくなることまた純度繊維１００％からなるブラシ部材３２では電荷が逃げにくく感光体ドラム２１から除去したトナーが外れにくい不具合があり、その結果トナーが感光体ドラム２１上に固着するフィルミングが発生し、その結果かぶり、印刷濃淡むらなどを発生する不具合があった。
【０００７】
本発明の目的は、上記した従来技術の欠点を解消し、印刷品質の劣化がない電子写真式印刷装置を提供することにある。
【課題を解決するための手段】
【０００８】
前記目的を達成するために本発明の第１の手段は、直流電圧を使用する転写部材、回転可能な清掃部材を使用する電子写真式印刷装置において転写部材と清掃部材の間に光除電部材、直流印加部材、交流除電部材、光除電部材を配置したことを特徴とするものである。
【０００９】
本発明の第２の手段は前記第１の手段において、前記直流印加部材は転写部材に印加する電圧と同極性の直流電圧を印加することを特徴とするものである。
【００１０】
本発明の第３の手段は前記第２の手段において、前記直流印加部材に印加する電流は０．１ｍＡ／インチ以下であることを特徴とするものである。
【００１１】
本発明の第４の手段は前記第１の手段において、前記交流除電部材には転写部材とは異極性の直流電圧を重畳したことを特徴とするものである。
【００１２】
本発明の第５の手段は前記第４の手段において、前記交流除電部材に印加する転写部材とは異極性の直流電圧の出力は０．１ｍＡ／インチ以下とすることを特徴とするものである。
【００１３】
本発明の第６の手段は前記第１の手段において、前記光除電部材は複数個のＬＥＤを有することを特徴とするものである。
【００１４】
本発明の第７の手段は前記第１の手段において、前記清掃部材には５０％以下の導電糸を含むものを使用することを特徴とするものである。
【発明の効果】
【００１５】
本発明によれば、電子写真式印刷装置の例えば６０インチ／秒の高速で使用して長時間印刷を行っても清掃できずに感光体ドラムに残る残留トナーがなくなるため、フィルミングが未発生となり、その結果かぶり、印刷濃淡むらなどの発生を防止することが可能となる。
【図面の簡単な説明】
【００１６】
【図１】本発明の実施例に係る電子写真式印刷装置の一部概略構成図である。
【図２】電子写真式印刷装置の全体の概略構成図である。
【図３】印加電流とトナー電荷との関係を示す特性図である。
【図４】印加電流と感光体ドラム電位との関係を示す特性図である。
【発明を実施するための形態】
【００１７】
以下、本発明の一実施例を図面を用いて詳細に説明する。
【００１８】
はじめに本発明が適用される電子写真方式を用いたレーザビームプリンタの全体構成を図１と２を参照しながら説明する。
【００１９】
図２において、１はレーザビームプリンタであり、そのコントローラ２２からの印刷動作開始信号に基づいて例えば有機物を表面に塗布した感光体ドラム２１が矢印方向に回転を始める。感光体ドラム２１は、レーザビームプリンタ１の印刷速度に相当する速度で回転し、印刷動作が終了するまで回転を続ける。感光体ドラム２１が回転を開始すると、グリッドを有するスコロトロン帯電器２に高電圧が印加され、感光体ドラム２１表面が例えば均一に−に帯電する。
【００２０】
回転可能な偏向部材３は、レーザビームプリンタ１に電源が投入されると直ちに回転を開始し、電源が投入されている間、高精度に定速回転が維持される。ガスレーザや半導体レーザなどで構成された光源４から出力した例えば２０本の複数の本数を有するマルチレーザビームは、回転可能な偏向部材３で反射し、ｆθレンズ５を通じて感光体ドラム２１上を走査しながら照射する。
【００２１】
ドットイメージに変換された文字データや図形データがレーザビームのオン／オフ信号としてコントローラ２２からレーザビームプリンタ１に送られると、感光体ドラム２１の表面にレーザビームが照射される部分と照射されない部分とが形成され、いわゆる静電潜像が形成される。この静電潜像を保持した感光体ドラム２１領域が現像装置６と対向する位置に到達すると、静電潜像にトナーが供給され、レーザビームの照射により感光体ドラム２１上の電荷が消失した部分に、例えば−に帯電したトナーが静電気により吸引されて感光体ドラム２１上に未定着現像像（以下、トナー像という）が形成される。
【００２２】
用紙ホッパ１１に収納された記録材７（本実施例では連続紙を例示する）は、用紙搬送トラクタ８によって、感光体ドラム２１上に形成された印刷データのトナー像が転写位置に到達するタイミングと同期させて、感光体ドラム２１と転写器１０の間に向けて搬送される。
【００２３】
感光体ドラム２１上に形成されたトナー像は、記録紙７の背面側にトナー像と逆極性の＋電圧を印加する転写器１０の作用によって記録紙７上に静電的に吸引される。
【００２４】
このようにして、用紙ホッパ１１に装填されていた記録紙７は、用紙搬送トラクタ８、転写器１０、用紙搬送トラクタ９およびバッファプレート２４を経て定着装置１２に搬送される。定着装置１２に到達した記録紙７は、プレヒータ１３で予熱された後、ヒータランプ２５を備えた加熱ローラ１４と加圧ローラ１５からなる一対の定着ローラによって形成されるニップ部によって加熱加圧されながら挟持搬送され、トナー像が記録紙７に溶融定着される。溶融定着後加熱ローラ１４に残ったトナーは例えばテフロン(登録商標)からなる清掃部材２６で加熱ローラ１４から除去清掃される。また転写器１０で記録紙７に吸引されなかった残留トナーは回転可能なブラシ部材３２で除去された後にブラシ部材３２から外れ図示していないブロアとサイクロンからなるトナー回収装置に回収される。またここで２３は印刷動作中のレーザビームプリンタ１の状態に基づく情報を表示したりする表示画面である。
【００２５】
加熱ローラ１４と加圧ローラ１５によって送り出されてきた記録紙７は、用紙送出しローラ１６によってスタッカテーブル１９側へ送り出されるとともに、スイングフィン１７の揺動動作によってミシン目に沿って交互に折り分けられ、さらに、回転するパドル１８で折りたたみ状態が整えられながら、スタッカテーブル１９上に積み重ねられて行く。
次に、図１を用いて本発明となる電子写真式印刷装置の詳細構成を説明する。
【００２６】
図１に示すように本発明では、＋電圧を印加した転写器１０を通過した感光体ドラム２１は書き込み光が照射された部分のみ＋１００Ｖの帯電であったが、非照射部の電位は−３００Ｖであった。また光体ドラム２１上に付着している残留トナーの極性は変わらず負のままであった。次にＬＥＤを複数個並べた光除電部材４２で感光体ドラム２１上の電位を一度できるだけ下げた後で、例えば転写器１０と同極性の直流電圧を印加する帯電部材４０に１．０ｍＡ／インチ以下の電流を流し残留トナーの極性を反転させる。その後転写器１０とは異極性の１．０ｍＡ／インチ以下の直流成分を重畳させたＡＣを使用する除電部材４１で光体ドラム２１の全域ができるだけ０Ｖになるように帯電させた。ここで印加される直流電流ではトナーの帯電に影響しないことはいうまでもない。その後例えば複数のＬＥＤを並べた光除電装置４３で感光体電位を均一にした後、回転可能な例えばポリアミド樹脂６０％＋導電性ポリアミド樹脂４０％からなるブラシ部材３２を内部に有する清掃部材２０を配置し、感光体ドラム２１上のトナー等を除去できるようにした。ここでブラシ部材３２に関し、導電性ポリアミド樹脂の割合を５０％以上にするとブラシ部材３２が寝てくる欠点があり、使用することはできなかった。光除電部材４２の光強度は感光体ドラムの電位を１／２倍にする半減露光量の３倍〜２０倍とし、かつ光源４と同一波長を発光成分として含むものとした。
【００２７】
以上のようにすることにより長時間印刷を行っても感光体ドラム２１に残留トナーを無くすことが可能となりフィルミング発生をなくしたので、それによって起こるかぶり、印刷濃淡むらなどの発生を防止することが可能となる。
【符号の説明】
【００２８】
１はレーザビームプリンタ、２はスコロトロン帯電器、３は偏向部材、４は光源、５はｆθレンズ、６は現像装置、７は記録材、８は用紙搬送トラクタ、９は用紙搬送トラクタ、１０は転写器、１１は用紙ホッパ、１２は定着装置、１３はプレヒータ、１４は加熱ローラ、１５は加圧ローラ、１６は用紙搬送ローラ、１７はスイングフィン、１８はパドル、１９はスタッカテーブル、２０は清掃装置、２１は感光体ドラム、２２はコントローラ、２３は表示装置、２５はヒータランプ、２６は清掃部材、３０は除電装置、３１は光除電部材、３２はブラシ部材、４０は帯電部材、４１は除電部材、４２は光除電装置、４３は光除電装置。
【図１】
2010164789.tif 000003
【図２】
2010164789.tif 000004
【図３】
2010164789.tif 000005
【図４】
2010164789.tif 000006